【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
色覚を向上する光学デバイスであって、
３８０ｎｍから７８０ｎｍの光学デバイスの透過スペクトルに少なくとも２つのパスバンドを形成する、一つ又は複数の光学素子を有し、
前記一つ又は複数の光学素子は、さらに、ＣＩＥ  Ｄ６５、Ｆ２、及びＦ１１光源のうちの一つ又は複数の光源の下で、９５％未満の明所及び暗所視感透過率を形成し、
前記一つ又は複数の光学素子は、ＣＩＥ  ＬＡＢ色空間において、ＣＩＥ  Ｄ６５光源およびＦ２及びＦ１１光源から選ばれる他の光源の下で、光学デバイスを通して見た赤と緑のマンセル色の赤と緑が、−０．１から０．１を除く−５．０と５．０の間である赤緑明度差をさらに形成し、
前記一つ又は複数の光学素子は、１ｎｍの解像度で、３８０ｎｍから７８０ｎｍの光学デバイスの透過スペクトルにおいて、最小透過率に対する最大透過率の比が少なくとも１．１５から１である最小透過率に対する最大透過率の比をさらに形成し、
前記一つ又は複数の光学素子は、赤、黄、緑又は青の指定の少なくとも１つの白熱信号光について、最小ＩＳＯ要件よりも少なくとも０．０２大きい計算された相対視覚減衰指数（Ｑ）をさらに形成する、
ことを特徴とする光学デバイス。
【請求項２】
約４７０ｎｍで中心である青ストップバンドは、約４６５ｎｍと４７５ｎｍの間で中心であることを特徴とする請求項１に記載の光学デバイス。
【請求項３】
約６７０ｎｍで中心である赤ストップバンドは、約６６０ｎｍと６７５ｎｍの間で中心であることを特徴とする請求項１に記載の光学デバイス。
【請求項４】
前記一つ又は複数の光学素子は、少なくとも１つの吸収性色素を含むことを特徴とする請求項１に記載の光学デバイス。
【請求項５】
前記一つ又は複数の光学素子は、少なくとも１つの反射薄膜を含むことを特徴とする請求項１に記載の光学デバイス。
【請求項６】
前記一つ又は複数の光学素子は、ＣＩＥ  ＬＡＢ色空間においてＣＩＥ  Ｄ６５、Ｆ２、及びＦ１１光源のうちの一つ又は複数の光源の下で、光学デバイスを通して見た赤と緑のマンセル色について、-２％から２％を除く-８０％と１２０％の間で明度に依存しない赤と緑の色差の増加をさらに形成する、ことを特徴とする請求項１に記載の光学デバイス。
【請求項７】
前記一つ又は複数の光学素子は、ＣＩＥ  ＬＡＢ色空間においてＣＩＥ  Ｄ６５、Ｆ２、及びＦ１１光源のうちの一つ又は複数の光源の下で、光学デバイスを通して見た青と黄色のマンセル色について、明度に依存しない青と黄色の色差を、-２％から２％を除く-５０％から１１０％の間で明度に依存しない青と黄色の色差の増加を形成する、ことを特徴とする請求項１に記載の光学デバイス。
【請求項８】
前記一つ又は複数の光学素子は、前記少なくとも２つのパスバンドのピーク透過波長間に少なくとも５ｎｍの離間を形成する、ことを特徴とする請求項１に記載の光学デバイス。
【請求項９】
前記一つ又は複数の光学素子は、前記３８０ｎｍから７８０ｎｍの光学デバイスの透過スペクトルにおいて少なくとも第３のパスバンドをさらに形成することを特徴とする請求項１に記載の光学デバイス。
【請求項１０】
前記一つ又は複数の光学素子は、前記３８０ｎｍから７８０ｎｍの光学デバイスの透過スペクトルにおいて少なくとも第４のパスバンドをさらに形成することを特徴とする請求項９に記載の光学デバイス。
【請求項１１】
前記一つ又は複数の光学素子は、
４４０ｎｍより短いピーク透過率波長を有する少なくとも１つのパスバンド、
１つのパスバンドのピーク透過率波長が別のパスバンドのピーク透過率波長よりも少なくとも１０ｎｍ短い、４４０ｎｍと６１０ｎｍの間にピーク透過率波長を有する少なくとも２つのパスバンド、及び、
６１０ｎｍより長いピーク透過波長を有する少なくとも１つのパスバンド、
を形成することを特徴とする請求項１０に記載の光学デバイス。
【請求項１２】
前記一つ又は複数の光学素子は、
４６０ｎｍより短いピーク透過率波長を有する少なくとも１つのパスバンド、
４６１ｎｍと５４０ｎｍの間にピーク透過率波長を有する少なくとも１つのパスバンド、及び
５４１ｎｍより長いピーク透過率波長を有する少なくとも２つのパスバンド、
をさらに形成することを特徴とする請求項１０に記載の光学デバイス。
【請求項１３】
前記一つ又は複数の光学素子は、
少なくとも３０％のピーク抑制を有し４５０ｎｍより短い波長に中心がある少なくとも１つのストップバンド、
少なくとも３０％のピーク抑制を有し５５０ｎｍと６１０ｎｍの間に中心がある少なくとも１つのストップバンド、及び、
８０％未満のピーク抑制を有し４４０ｎｍと５１０ｎｍの間に中心がある少なくとも１つのストップバンド、
をさらに形成することを特徴とする請求項１０に記載の光学デバイス。
【請求項１４】
前記一つ又は複数の光学素子は、２０％より大きいピーク透過率を有し４８０ｎｍと５７０ｎｍの間に中心がある少なくとも１つのパスバンドをさらに形成することを特徴とする請求項１０に記載の光学デバイス。
【請求項１５】
前記一つ又は複数の光学素子は、５８０ｎｍより長い波長に中心がある少なくとも１つのストップバンドをさらに形成することを特徴とする請求項１０に記載の光学デバイス。
【請求項１６】
前記一つ又は複数の光学素子は、ＣＩＥ  Ｄ６５、Ｆ２、及びＦ１１光源のうちの一つ又は複数の光源の下で、ＣＩＥ  ＬＡＢ色空間において、シングルパス白色点のａ値とダブルパス白色点のａ値とが５距離単位と１５０距離単位の間で離間するａ値をさらに形成することを特徴とする請求項１に記載の光学デバイス。
【請求項１７】
前記一つ又は複数の光学素子は、一つ又は複数のＣＩＥ  Ｄ６５、Ｆ２及び／又はＦ１１光源の下で、ＣＩＥ  ＬＡＢ色空間において、シングルパス白色点のｂ値とダブルパス白色点のｂ値とが５距離単位と１５０の距離単位の間で離間するｂ値をさらに形成することを特徴とする請求項１に記載の光学デバイス。
【請求項１８】
前記一つ又は複数の光学素子は、一つ又は複数のＣＩＥ  Ｄ６５、Ｆ２及び／又はＦ１１光源の下で、ＣＩＥ  ＬＡＢ色空間において、-６０と＋６０の間のａ値を有するシングルパス及びダブルパスの装飾的色合いをさらに形成することを特徴とする請求項１に記載の光学デバイス。
【請求項１９】
前記一つ又は複数の光学素子は、一つ又は複数のＣＩＥ  Ｄ６５、Ｆ２及び／又はＦ１１光源の下で、ＣＩＥ  ＬＡＢ色空間において、-６０と＋６０の間のｂ値を有するシングルパス及びダブルパスの装飾的色合いをさらに形成することを特徴とする請求項１に記載の光学デバイス。
【請求項２０】
前記一つ又は複数の光学素子はさらに、５７０ｎｍと５９０ｎｍの間の平均透過率よりも少なくとも１％高い５００ｎｍと５５０ｎｍの間の平均透過率をさらに形成することを特徴とする請求項１に記載の光学デバイス。
【請求項２１】
前記一つ又は複数の光学素子は、ＵＶ照明下で前記光学デバイスをフォトクロミックにさらにすることを特徴とする請求項１に記載の光学デバイス。
【請求項２２】
前記一つ又は複数の光学素子はさらに、５５０ｎｍと６００ｎｍの間の平均透過率よりも少なくとも１％高い４６０ｎｍと５４０ｎｍの間の平均透過率をさらに形成することを特徴とする請求項１に記載の光学デバイス。
【請求項２３】
前記一つ又は複数の光学素子は、ＣＩＥ  Ｆ２光源におけるシングルパス及びダブルパスの装飾的色合いが、ＣＩＥ  ＬＡＢ色空間におけるＣＩＥ  Ｄ６５及び／又はＦ１１光源の下でその対応するシングルパス及びダブルパスの装飾的色合いのｂ値よりも少なくとも１距離単位小さいｂ値を有するようにすることをさらに特徴とする請求項１に記載の光学デバイス。
【請求項２４】
前記一つ又は複数の光学素子は、約４７０ｎｍで中心である青ストップバンドと約６７０ｎｍで中心である赤ストップバンドを形成し、前記赤ストップバンドが前記青ストップバンドより少なくとも約２５％高い透過率を有することを伴う、ことを特徴とする請求項１に記載の光学デバイス。
【請求項２５】
前記光学デバイスは、レンズ、サングラス、眼科用ガラス、コンタクトレンズ、光学フィルタ、ディスプレイ、フロントガラス、眼内レンズ、ヒト水晶体、窓、プラスチックの少なくともいずれかの形態をとることを特徴とする請求項１に記載の光学デバイス。
【請求項２６】
前記一つ又は複数の光学素子は、ＣＩＥ  Ｄ６５照明及びＣＩＥ  ＬＵＶ空間において、裸眼での色覚の中間色からの白色点シフトと、光学デバイスを通した場合との差が０．００２距離単位と０．２距離単位の間であるようにすることを特徴とする請求項１に記載の光学デバイス。
【請求項２７】
色覚を向上する光学デバイスであって、
３８０ｎｍから７８０ｎｍの光学デバイスの透過スペクトルに少なくとも二つのパスバンドを形成する、一つ又は複数の光学素子を有し、
前記一つ又は複数の光学素子は、ＣＩＥ  Ｄ６５、Ｆ２、及びＦ１１光源の一つ又は複数の下で、９５％未満の明所及び暗所視感透過率をさらに形成し、
前記一つ又は複数の光学素子は、ＣＩＥ  ＬＡＢ色空間において、ＣＩＥ  Ｄ６５光源およびＦ２及びＦ１１光源の一つまたは複数の下で、光学デバイスを通して見た赤と緑のマンセル色の赤と緑が、−０．１から０．１を除く−５．０と５．０の間である赤緑明度差をさらに形成し、
前記一つ又は複数の光学素子は、１ｎｍの解像度で、３８０ｎｍから７８０ｎｍの光学デバイスの透過スペクトルにおいて、最小透過率に対する最大透過率の比が少なくとも１．１５から１である最小透過率に対する最大透過率の比をさらに形成し、
ここで、前記一つまたは複数の光学素子は、ＣＩＥ  Ｆ２光源におけるシングルパス及びダブルパスの装飾的色合いが、ＣＩＥ  ＬＡＢ色空間におけるＣＩＥ  Ｄ６５及び／又はＦ１１光源の下でその対応するシングルパス及びダブルパスの装飾的色合いのｂ値よりも少なくとも１距離単位小さいｂ値を有するようにし、
前記光学デバイスは、レンズ、サングラス、眼科用ガラス、コンタクトレンズ、光学フィルタ、ディスプレイ、フロントガラス、眼内レンズ、ヒト水晶体、窓、プラスチックの少なくとも一つの形態をとる、
ことを特徴とする光学デバイス。
【請求項２８】
前記一つ又は複数の光学素子は、少なくとも一つの吸収性色素を含むことを特徴とする請求項２７に記載の光学デバイス。
【請求項２９】
５６０ｎｍと６１０ｎｍの間に中心がある吸収波のピークを有する少なくとも一つのストップバンドを伴う透過スペクトルを有する請求項２７に記載の光学デバイスであって、
前記少なくとも一つのストップバンドは少なくとも３０％のピーク吸収を有し、前記少なくとも一つのストップバンドは少なくとも１０ｎｍの半値全幅を有することを伴う、ことを特徴とする光学デバイス。